(57)【要約】【課題】鉛筆またはボールペンを手作りするための、軸体材料および軸体成型容器を提供する。【解決手段】軸体原材料には粉末状の半水石膏を使用し、適量加水、攪拌し流動化させ水和物となった二水石膏を、既に芯を挿入してある軸体成型容器内に充填し固化した後、軸体成型容器内より離型することにより鉛筆またはボールペンを手作りするものである。軸体原材料に炭酸カルシューム、パーライト、バーミキュライト、木片、木粉、プラスチック粉、メチルセルロース、有色顔料、光輝材並びに芳香剤のいくつかを添加することも可能である。軸体成型容器は軸方向に所定の長さを備えた細長い軸状の空洞体で、幅方向の内周形が円形、楕円形、多角形、小判形並びにそれらを組み合わせた形状のいずれかを有する、引抜形軸体成型容器または抱合せ形軸体成型容器を提供するものである。【選択図】図１
2012020568.tif 000002
【特許請求の範囲】
【請求項１】
手作り鉛筆およびボールペンの軸体を成型するための軸体原材料に、粉末状の半水石膏を使用する。粉末状の半水石膏に適量加水、攪拌し流動化させ、水和物となった二水石膏を、鉛筆またはボールペンの芯を装填した軸体成型容器内に充填し、二水石膏が固化した後、軸体成型容器内より軸体を離形することを特徴として得られる、手作り鉛筆およびボールペン。
【請求項２】
「請求項１」に記載した軸体原材料である粉末状の半水石膏に、炭酸カルシューム、パーライト、バーミキュライト、木片、木粉、プラスチック粉、メチルセルロース、有色顔料、光輝材並びに芳香剤のうちのひとつ、または複数の組合せからなる混和材料を添加することにより得られる半水石膏混和材料に、適量加水、攪拌し、流動化させ、水和物となった二水石膏混和材料を、鉛筆またはボールペンの芯を装填した軸体成型容器内に充填し、二水石膏混和材料が固化した後、軸体成型容器内より軸体を離形することを特徴として得られる、手作り鉛筆およびボールペン。
【請求項３】
手作り鉛筆およびボールペンを成型するための軸体成型容器は、軸方向に所定の長さを備えた細長い軸状の形体で、後端は閉鎖され、前端は開放された空洞体である。幅方向の内周形が円形、楕円形、多角形、小判形並びにそれらを組み合わせた形のいずれかの有することにより、円形、楕円形、多角形、小判形並びにそれらを組み合わせた形のいずれかの軸体を有することを特徴として得られる、手作り鉛筆およびボールペン。
【請求項４】
「請求項３」に記載した手作り鉛筆およびボールペンを成型するための軸体成型容器の形体が、引抜形軸体成型容器の場合の構成を「図１」、「図４」および「図１１」を基に説明する。構成する型材は、保持台（１）、引抜形下部容器（２）および引抜形挿入型材（３）とからなり、最下部の保持台（１）に、引抜形下部容器（２）を挿入し、それに引抜形挿入型材（３）を縦装させる構成である。それぞれの構造および機能を以下説明する。
（イ）保持台（１）は、引抜形下部容器（２）の後端を縦装させ、引抜形下部容器（２）を垂直に保持させるためのものであり、上面中央には、所定の深さを持ち、引抜形下部容器（２）を挿入するための凹状の下部容器装填穴（４）を持つことを特徴とする。
（ロ）引抜形下部容器（２）は、軸方向に所定の長さを備えた細長い軸状の形体を有し、手作り鉛筆およびボールペンの軸方向の外周形と同形の内周形を持った空洞体である。後端の平面中央部には、鉛筆またはボールペンの芯（１１）の至端を装填するための芯装填穴（５）を備えた底板（６）を有する。前端は開放され、所定の深さを有し、引抜形挿入形材（３）を挿入するための凹状の引抜形前端拡幅開口（７）を有することを特徴とする。
（ハ）引抜形挿入型材（３）は、軸方向に所定の長さを備え、鉛筆またはボールペンの芯（１１）の先端部分を成型するための、引抜形逆漏斗形軸穴（８）を有する。引抜形下部容器（２）の上部に設けた、引抜形前端拡幅開口（７）の上端近くまで、水和物となった二水石膏（１０）または、二水石膏混和材料（１０）を充填した後に、引抜形挿入型材（３）を引抜形前端拡幅開口（７）内の底部まで緩挿する。引抜形挿入型材（３）を引抜形前端拡幅開口（７）内に緩挿することにより、引抜形挿入型材（３）の挿入した部分の体積に見合う量の水和物となった二水石膏（１０）または、二水石膏混和材料（１０）が、引抜形挿入型材（３）の内部に設けた、引抜形逆漏斗形軸穴（８）内の空洞部を上昇し、鉛筆またはボールペンの先端部を成型することを特徴とする。
（ニ）成型され固化した鉛筆またはボールペンの軸体を、引抜形軸体成型容器内より離型する場合は、引抜形下部容器（２）を保持台（１）より引抜き、引抜形挿入型材（３）を引抜形前端拡幅開口（７）内より引抜くことにより、鉛筆またはボールペンの軸体の先端部が離形される。その後、引抜形下部型容器（２）より軸体を引抜き離型することを特徴として得られる、手作り鉛筆およびボールペン。
【請求項５】
「請求項３」に記載した手作り鉛筆およびボールペンを成型するための軸体成型容器の形体が、抱合せ形軸体成型容器の場合の構成を「図９」、「図１０」および「図１１」を基に説明する。構成する型材は、保持台（１）、抱合せ形下部容器（２１）および抱合せ形挿入型材（３１）とからなり、最下部の保持台（１）に抱合せ形下部容器（２１）を挿入し、それに抱合せ形挿入型材（３１）を縦装させる構成である。それぞれの構造および機能を以下説明する。
（イ）保持台（１）は、抱合せ形下部容器（２１）の後端を縦装させ、抱合せ形下部容器（２１）を垂直に保持させるためのものであり、上面中央には、所定の深さを持ち、抱合せ形下部容器（２１）を挿入するための凹状の下部容器装填穴（４）を持つことを特徴とする。
（ロ）抱合せ形下部容器（２１）は、抱合せ形合決り接合面（９）を持つ複数の型材の組合せからなり、抱合せ形合決り接合面（９）を互いに噛み合わせ、ゴムバンド等で幅方向を緊結し、一体化させた容器である。一体化された抱合せ形下部容器（２１）は、軸方向に所定の長さを備えた細長い軸状の形体を有し、手作り鉛筆およびボールペンの軸方向の外周形と同形の内周形を持った空洞体である。後端の平面中央部には、鉛筆またはボールペンの芯（１１）の至端を装填するための芯装填穴（５）を備えた抱合せ形底板（６１）を有する。前端は開放され、所定の深さを有し、抱合せ形挿入形材（３１）を挿入するための凹状の抱合せ形前端拡幅開口（７１）を有することを特徴とする。
（ハ）抱合せ形挿入型材（３１）は、抱合せ形合決り接合面（９）を持つ複数の型材の組合せからなり、抱合せ形合決り接合面（９）を互いに噛み合わせ、ゴムバンド等で幅方向を緊結し、一体化させた容器である。一体化された抱合せ形挿入型材（３１）は、軸方向に所定の長さを備え、鉛筆またはボールペンの先端部分を成型するための、抱合せ形逆漏斗形軸穴（８１）を有する。抱合せ形下部容器（２１）の上部に設けた、抱合せ形前端拡幅開口（７１）の上端近くまで、水和物となった二水石膏（１０）または、二水石膏混和材料（１０）を充填した後に、抱合せ形挿入型材（３１）を抱合せ形前端拡幅開口（７１）内の底部まで緩挿する。抱合せ形挿入型材（３１）を抱合せ形前端拡幅開口（７１）内に緩挿することにより、抱合せ形挿入型材（３１）の挿入した部分の体積に見合う量の、水和物となった二水石膏（１０）または二水石膏混和材料（１０）が、抱合せ形挿入型材（３１）の内部に設けた、抱合せ形逆漏斗形軸穴（８１）内の空洞部を上昇し、鉛筆またはボールペンの先端部を成型することを特徴とする。
（ニ）成型され固化した鉛筆またはボールペンの軸体を、抱合せ形軸体成型容器内抱より離型する場合は、抱合せ形下部容器（２１）を保持台（１）より引抜き、抱合せ形下部容器（２１）のゴムバンド等を取り外した後、抱合せ形合決り接合面（９）を持つ複数の抱合せ形下部容器（２１）を分離する。その後、抱合せ形挿入型材（３１）のゴムバンド等を取り外した後、抱合せ形合決り接合面（９）を持つ複数の抱合せ形挿入型材（３１）を分離する。このように、鉛筆またはボールペンの軸体を、抱合せ形軸体成型容器内より離型することを特徴として得られる、手作り鉛筆およびボールペン。
【請求項６】
「請求項４」および「請求項５」に記載した保持台（１）の持つ機能を複数一体化し、複数の手作り鉛筆およびボールペンを得ることを特徴とした、連続保持台（１３）。
【発明の詳細な説明】
【技術分野】
【０００１】  本発明は、手作り鉛筆およびボールペンに関する。
【背景技術】
【０００２】  これまでの鉛筆およびボールペンは、夫々の製造工場で規格化されたものが大量に生産されている。【０００３】  これまでの鉛筆の軸体材料には、インセンスシダーを代表とする木材が主に使用されている。【０００４】  これまでのボールペンの軸材料には、石油を原材料とした合成樹脂が主に使用されていた。【０００５】  これまでの鉛筆およびボールペンの使用者は、筆記具として必要な機能的要素とは別に、軸体の形状、軸体の表面に施されている模様および、色彩等の意匠的観点を重要な選択肢とし、特に他人との差別化を目的として購入していた。【０００６】  手作り鉛筆キットに関しての発明がある（特許文献１参照）。この発明によれば、半割りの鉛筆軸の中央部の凹部に鉛筆の芯を挿入し、残りの半割り軸を接着剤か両面テープで接着して鉛筆軸を完成させるキットである。【０００７】  おが屑に特殊粘土を混ぜ、好みの形に成型しその中に鉛筆芯を挿入して自作鉛筆を作る記述がある（非特許文献１参照）。
【先行技術文献】
【特許文献】
【０００８】
【特許文献１】登録実用新案  第３１０７４６３号
【特許文献２】特許公開  平５−９６８９９
【特許文献３】特許公開  ２００５−２４８０１
【特許文献４】特許公開  平６−２５５２９６
【特許文献５】特許公開  平１０−２２６６２３
【非特許文献】
【０００９】
【非特許文献１】インターネットのフリー百科事典「ウイキペディア」：北星鉛筆「もくねんさん」
【発明の概要】
【発明が解決しようとする課題】
【００１０】  鉛筆およびボールペンの購入者は、鉛筆およびボールペンを市販品の中から、機能的、並びに意匠的な好みにより購入するものである。特に軸体の形状や軸体の表面に施されている模様並びに色彩等の意匠的要素は、他人の持ち物と差別化するための重要な選択肢と位置付けられている。【００１１】  これまでの鉛筆の軸体材料には、インセントシダーを代表とする木材が主に使用されており、森林伐採による環境破壊を起こさないための植林の必用がある。【００１２】  これまでのボールペンの軸体材料には、石油を原材料とする合成樹脂が使用されており、石油資源の枯渇に繋がるものである。また合成樹脂を製造、加工する過程で発生する二酸化炭素は、地球温暖化への悪影響に繋がる恐れがある。【００１３】  本発明が解決しようとする課題は、市販されている鉛筆の芯およびボールペンの芯を使用し、手作りで鉛筆およびボールペンを作ることを可能とする、軸体材料の提供と軸体を成型するための、軸体成型容器を提供するものである。
【課題を解決するための手段】
【００１４】  上記目的を達成するため本発明は、手作り鉛筆およびボールペンの軸体を成型するための軸体原材料に、粉末状の半水石膏を提供する。粉末状の半水石膏に適量加水、攪拌し流動化させ、水和物となった二水石膏を、鉛筆またはボールペンの芯を装填した軸体成型容器内に充填し、二水石膏が固化した後、軸体成型容器内より軸体を離形することを特徴として得られる、手作り鉛筆およびボールペン。【００１５】  前項に記載した軸体原材料である粉末状の半水石膏に、炭酸カルシューム、パーライト、バーミキュライト、木片、木粉、プラスチック粉、メチルセルロース、有色顔料、光輝材並びに芳香剤のうちのひとつ、または複数の組合せからなる混和材料を添加することにより得られる半水石膏混和材料に、適量加水、攪拌し、流動化させ、水和物となった二水石膏混和材料を、鉛筆またはボールペンの芯を装填した軸体成型容器内に充填し、二水石膏混和材料が固化した後、軸体成型容器内より軸体を離形することを特徴として得られる、手作り鉛筆およびボールペン。【００１６】  手作り鉛筆およびボールペンを成型するための軸体成型容器は、軸方向に所定の長さを備えた細長い軸状の形体で、後端は閉鎖され、前端は開放された空洞体である。幅方向の内周形が円形、楕円形、多角形、小判形並びにそれらを組み合わせた形のいずれかを有することにより、円形、楕円形、多角形、小判形並びにそれらを組み合わせた形のいずれかの軸体を有することを特徴として得られる、手作り鉛筆およびボールペン。【００１７】  前項に記載した手作り鉛筆およびボールペンを成型するための軸体成型容器の形体が、引抜形軸体成型容器の場合の構成を「図１」、「図４」および「図１１」を基に説明する。構成する型材は、保持台（１）、引抜形下部容器（２）および引抜形挿入型材（３）とからなり、最下部の保持台（１）に、引抜形下部容器（２）を挿入し、それに引抜形挿入型材（３）を縦装させる構成である。それぞれの構造および機能を以下説明する。
（イ）保持台（１）は、引抜形下部容器（２）の後端を縦装させ、引抜形下部容器（２）を垂直に保持させるためのものであり、上面中央には、所定の深さを持ち、引抜形下部容器（２）を挿入するための凹状の下部容器装填穴（４）を持つことを特徴とする。
（ロ）引抜形下部容器（２）は、軸方向に所定の長さを備えた細長い軸状の形体を有し、手作り鉛筆およびボールペンの軸方向の外周形と同形の内周形を持った空洞体である。後端の平面中央部には、鉛筆またはボールペンの芯（１１）の至端を装填するための芯装填穴（５）を備えた底板（６）を有する。前端は開放され、所定の深さを有し、引抜形挿入型材（３）を挿入するための凹状の引抜形前端拡幅開口（７）を有することを特徴とする。
（ハ）引抜形挿入型材（３）は、軸方向に所定の長さを備え、鉛筆またはボールペンの芯（１１）の先端部分を成型するための、引抜形逆漏斗形軸穴（８）を有する。引抜形下部容器（２）の上部に設けた、引抜形前端拡幅開口（７）の上端近くまで、水和物となった二水石膏（１０）または、二水石膏混和材料（１０）を充填した後に、引抜形挿入型材（３）を引抜形前端拡幅開口（７）内の底部まで緩挿する。引抜形挿入型材（３）を引抜形前端拡幅開口（７）内に緩挿することにより、引抜形挿入型材（３）の挿入した部分の体積に見合う量の水和物となった二水石膏（１０）または、二水石膏混和材料（１０）が、引抜形挿入型材（３）の内部に設けた、引抜形逆漏斗形軸穴（８）内の空洞部を上昇し、鉛筆またはボールペンの先端部を成型することを特徴とする。
（ニ）成型され固化した鉛筆またはボールペンの軸体を、引抜形軸体成型容器内より離型する場合は、引抜形下部容器（２）を保持台（１）より引抜き、引抜形挿入型材（３）を引抜形前端拡幅開口（７）内より引抜くことにより、鉛筆またはボールペンの軸体の先端部が離型される。その後、引抜形下部容器（２）より軸体を引抜き離型することを特徴として得られる、手作り鉛筆およびボールペン。【００１８】「００１６」に記載した手作り鉛筆およびボールペンを成型するための軸体成型容器の形体が、抱合せ形軸体成型容器の場合の構成を「図９」、「図１０」および「図１１」を基に説明する。構成する型材は、保持台（１）、抱合せ形下部容器（２１）および抱合せ形挿入型材（３１）とからなり、最下部の保持台（１）に抱合せ形下部容器（２１）を挿入し、それに抱合せ形挿入型材（３１）を縦装させる構成である。それぞれの構造および機能を以下説明する。
（イ）保持台（１）は、抱合せ形下部容器（２１）の後端を縦装させ、抱合せ形下部容器（２１）を垂直に保持させるためのものであり、上面中央には、所定の深さを持ち、抱合せ形下部容器（２１）を挿入するための凹状の下部容器装填穴（４）を持つことを特徴とする。
（ロ）抱合せ形下部容器（２１）は、抱合せ形合決り接合面（９）を持つ複数の型材の組合せからなり、抱合せ形合決り接合面（９）を互いに噛み合わせ、ゴムバンド等で幅方向を緊結し、一体化させた容器である。一体化された抱合せ形下部容器（２１）は、軸方向に所定の長さを備えた細長い軸状の形体を有し、手作り鉛筆およびボールペンの軸方向の外周形と同形の内周形を持った空洞体である。後端の平面中央部には、鉛筆またはボールペンの芯（１１）の至端を装填するための芯装填穴（５）を備えた抱合せ形底板（６１）を有する。前端は開放され、所定の深さを有し、抱合せ形挿入型材（３１）を挿入するための凹状の抱合せ形前端拡幅開口（７１）を有することを特徴とする。
（ハ）抱合せ形挿入型材（３１）は、抱合せ形合決り接合面（９）を持つ複数の型材の組合せからなり、抱合せ形合決り接合面（９）を互いに噛み合わせ、ゴムバンド等で幅方向を緊結し、一体化させた容器である。一体化された抱合せ形挿入型材（３１）は、軸方向に所定の長さを備え、鉛筆またはボールペンの先端部を成型するための、抱合せ形逆漏斗形軸穴（８１）を有する。抱合せ形下部容器（２１）の上部に設けた、抱合せ形前端拡幅開口（７１）の上端近くまで、水和物となった二水石膏（１０）または、二水石膏混和材料（１０）を充填した後に、抱合せ形挿入型材（３１）を抱合せ形前端拡幅開口（７１）内の底部まで緩挿する。抱合せ形挿入型材（３１）を抱合せ形前端拡幅開口（７１）内に緩挿することにより、抱合せ形挿入型材（３１）の挿入した部分の体積に見合う量の、水和物となった二水石膏（１０）または二水石膏混和材料（１０）が、抱合せ形挿入型材（３１）の内部に設けた、抱合せ形逆漏斗形軸穴（８１）内の空洞部を上昇し、鉛筆またはボールペンの先端部を成型することを特徴とする。
（ニ）成型され固化した鉛筆またはボールペンの軸体を、抱合せ形軸体成型容器内より離型する場合は、抱合せ形下部容器（２１）を保持台（１）より引抜き、抱合せ形下部容器（２１）のゴムバンド等を取り外した後、抱合せ形合決り接合面（９）を持つ複数の抱合せ形下部容器（２１）を分離する。その後、抱合せ形挿入型材（３１）のゴムバンド等を取り外した後、抱合せ形合決り接合面（９）を持つ複数の抱合せ形挿入型材（３１）を分離する。
このように、鉛筆またはボールペンの軸体を、抱合せ形軸体成型容器内より離型することを特徴として得られる、手作り鉛筆およびボールペン。【００１９】  「００１７」および「００１８」に記載した保持台（１）の持つ機能を複数一体化し、複数の手作り鉛筆およびボールペンを得ることを特徴とした、連続保持台（１３）。
【発明の効果】
【００２０】  軸体原材料である粉末状の半水石膏は、肌に触れても、少量を吸込んでも害が認められず、子供にも安全で、取り扱いも容易な材料である。【００２１】  軸体成型容器の内周形の形状を変化させることにより、多様な形状の手作り鉛筆およびボールペンの軸体の外形を成型することが可能であり、他人の持つ鉛筆およびボールペンとの差別化が可能である。【００２２】  成型された鉛筆およびボールペンの軸体は、刃物並びに鉛筆削り器で容易に切削することが可能である。また軸体表面を彫刻することにより、多様な模様を形作ることが可能である。さらに軸体表面に絵柄を施したり、文字を描き込んだり、シールを貼る等で自己を主張でき、他人の持ち物との差別化が可能となる。【００２３】  学校における、理科の実験、工作並びに美術の教科で、教材として使用可能である。【００２４】  軸体原材料である粉末状の半水石膏に、混和材料の一つである芳香剤を添加することにより、好みの芳香を楽しむことが可能で、脳の活性化や、リラックス効果が期待できる。【００２５】  固化した軸体の削り屑や、不要となった二水石膏や二水石膏混和材料は、庭などに散布し自然界に戻すことにより、土壌改良剤としての効果が期待できる。
【図面の簡単な説明】
【００２６】  手作り鉛筆および手作りボールペンを成型するための軸体成型容器は、軸方向に所定の長さを備えた細長い軸状の形体で、後端は閉鎖され前端は開放された空洞体である。幅方向の内周形が円形、楕円形、多角形、小判形並びにそれらを組み合わせた形のいずれかを有することにより、円形、楕円形、多角形、小判形並びにそれらを組み合わせた形のいずれかの軸体を有する鉛筆およびボールペンを成型することが可能である。当該図面はそれら軸状の形体の一例として、幅方向の内周形が円形の軸体成型容器を使用し成型される鉛筆およびボールペンの軸体が円形の場合の、引抜形軸体成型容器、および抱合せ形軸体成型容器の形体について図示する。図面は発明の概要を示すためのものであり、縦、横の比率および縮尺は実態とは一致しない。【００２７】
【図１】本発明を実施するための最良の形態による、引抜形軸体成型容器の構成型材の斜視図。
【図２】本発明を実施するための最良の形態による、引抜形軸体成型容器の構成型材を従装させた時の立面図。
【図３】本発明を実施するための最良の形態による、引抜形軸体成型容器の構成型材の従装時の断面図。
【図４】本発明を実施するための最良の形態による、引抜形軸体成型容器の構成型材を示すＡ−Ａ線断面図。
【図５】本発明を実施するための最良の形態による、引抜形前端拡幅開口を示すＢ−Ｂ線断面図。
【図６】本発明を実施するための最良の形態による、引抜形挿入型材を示すＣ−Ｃ線断面図。
【図７】本発明を実施するための最良の形態による、保持台を示すＤ−Ｄ線断面図。
【図８】本発明を実施するための最良の形態による、連続保持台の斜視図。
【図９】本発明を実施するための最良の形態による、抱合せ形軸体成型容器の構成型材の斜視図。
【図１０】本発明を実施するための最良の形態による、抱合せ形軸体成型容器の合決り接合面を示す斜視図。
【図１１】本発明を実施するための最良の形態による、引抜形軸体成型容器による成型方法を示す順番図。（ａ）は、引抜形下部容器に鉛筆またはボールペンの芯を芯装填穴に装填した状態図。（ｂ）は、引抜形下部容器を保持台に縦装し自立させた後、水和物となった二水石膏または、二水石膏混和材料を充填した状態図。（ｃ）は、引抜形挿入型材の緩挿前の状態図。（ｄ）は、引抜形挿入型材を引抜形前端拡幅開口に緩挿している状態図。（ｅ）は、引抜形挿入型材を引抜形前端拡幅開口内に緩挿を完了し、水和物となった二水石膏または、二水石膏混和材料が鉛筆またはボールペンの芯の先端部まで上昇した状態図。（ｆ）は、引抜形挿入型材および引抜形下部容器内より離形して得られた、鉛筆またはボールペンの軸体を示した縦立面図。
【発明を実施するための形態】
【００２８】  以下本発明を実施するための最良の形態による軸体材料の取り扱い、並びに軸体成型容器である引抜形軸体成型容器によって、鉛筆およびボールペンの軸体を成型し、離型することによって得られる手作り鉛筆およびボールペンを成型する順番を「図１１」を基に説明する。
【実施例１】
【００２９】  軸体原材料である粉末状の半水石膏か、または粉末状の半水石膏に、炭酸カルシューム、パーライト、バーミキュライト、木片、木粉、プラスチック粉、メチルセルロース、有色顔料、光輝材並びに芳香剤のうちのひとつ、または複数の組合せからなる混和材料を添加した半水石膏混和材料に適量加水、攪拌することにより流動化させ、水和物となった二水石膏または二水石膏混和材料を適当な容器内で作り置く。【００３０】  引抜形軸体成型容器を使用して、手作り鉛筆またはボールペンを成型する順番を「図１１」を基に説明する。
（ａ）引抜形成型容器（２）内および引抜形前端拡幅開口（７）内に離型剤、例えば石鹸水を塗布する。鉛筆またはボールペンの芯（１１）の至端を芯装填穴（５）に装填する。
（ｂ）引抜形成型容器（２）の後端を保持台（１）の下部容器装填穴（４）内に縦装させ自立させる。
引抜形成型容器（２）内に引抜形前端拡幅開口（７）の上部より流動化させ水和物となった二水石膏または、二水石膏混和材料を引抜形前端拡幅開口（７）の上端位置近くまでスポイト等を使用して充填する。
（ｃ）引抜形挿入形材（３）の引抜形逆漏斗形軸穴（８）内に離型剤、例えば石鹸水を塗布する。鉛筆またはボールペンの芯（１１）の先端部を引抜形挿入形材（３）の引抜形逆漏斗形軸穴（８）内に挿入する。
（ｄ）引抜形挿入型材（３）を引抜形前端拡幅開口（７）内に緩挿する。引抜形挿入型材（３）を引抜形前端拡幅開口（７）に緩挿することにより、引抜形挿入型材（３）の挿入体積に見合う量の水和物となった二水石膏（１０）または、二水石膏混和材料（１０）が引抜形挿入型材（３）の内部に設けた引抜形逆漏斗形軸穴（８）内の空洞部を上昇する。
（ｅ）引抜形挿入型材（３）を引抜形前端拡幅開口（７）内底部まで緩挿を完了し、二水石膏（１０）または、二水石膏混和材料（１０）が引抜形挿入型材（３）の内部に設けた引抜形逆漏斗形軸穴（８）内の空洞部を上昇し続けることで、鉛筆またはボールペンの先端部が成型される。
（ｆ）成型され固化した鉛筆またはボールペンの軸体は、引抜形挿入型材（３）を引抜形前端拡幅開口（７）より引抜き、鉛筆またはボールペンの軸体を引抜形成型容器（２）内より引抜くことにより、鉛筆またはボールペンの軸体が離型される。
【符号の説明】
【００３１】    １    保持台
２    引抜形下部容器
２１  抱合せ形下部容器
３    引抜形挿入型材
３１  抱合せ形挿入型材
４    下部容器装填穴
５    芯装填穴
６    底板
６１  抱合せ形底板
７    引抜形前端拡幅開口
７１  抱合せ形前端拡幅開口
８    引抜形逆漏斗形軸穴
８１  抱合せ形逆漏斗形軸穴
９    抱合せ形合決り接合面
１０  水和物となった二水石膏または、二水石膏混和材料
１１  鉛筆またはボールペンの芯
１２  成型し離型した鉛筆またはボールペン
１３  連続保持台
【図１】
2012020568.tif 000003
【図２】
2012020568.tif 000004
【図３】
2012020568.tif 000005
【図４】
2012020568.tif 000006
【図５】
2012020568.tif 000007
【図６】
2012020568.tif 000008
【図７】
2012020568.tif 000009
【図８】
2012020568.tif 000010
【図９】
2012020568.tif 000011
【図１０】
2012020568.tif 000012
【図１１】
2012020568.tif 000013